(57)【要約】【課題】患者に対する薬液注入の処置を、複数の医療従事者のうちの何れの者が行ったかについて確認することができる薬液注入システム、薬液注入装置、薬液注入方法及びプログラムを提供する。【解決手段】ポンプ制御部３４は、通信部２１が開始信号を受信した場合に薬液の注入が開始されるようにポンプ５１を制御し、通信部２１が停止信号を受信した場合に薬液の注入が停止されるようにポンプ５１を制御するように構成され、記憶部３２は、薬液の注入の開始が指示されたことを示す情報を含む開始指示情報とともに開始入力者情報を記憶し、薬液の注入の停止が指示されたことを示す情報を含む停止指示情報とともに停止入力者情報を記憶するように構成される。【選択図】図１
2019170452.tif 000002
【特許請求の範囲】
【請求項１】
複数の患者へ薬液を注入するための薬液注入システムであって、
前記複数の患者のそれぞれに対応する複数の薬液注入装置と、
前記複数の薬液注入装置の外部に設けられ、前記複数の薬液注入装置に対して前記薬液の注入の開始及び停止の指示を与える少なくとも１つの外部機器と、を備え、
各薬液注入装置は、前記薬液を送るポンプと、通信部と、ポンプ制御部と、記憶部と、を備え、
前記通信部は、
前記薬液注入装置の外部に設けられた外部機器から出力される信号であって前記薬液の注入の開始を指示する開始信号と、
前記外部機器から出力される信号であって前記薬液の注入の開始を指示するための入力を前記外部機器に対して行った開始入力者を識別する開始入力者情報を含む信号と、
前記外部機器から出力される信号であって前記薬液の注入の停止を指示する停止信号と、
前記外部機器から出力される信号であって前記薬液の注入の停止を指示するための入力を前記外部機器に対して行った停止入力者を識別する停止入力者情報を含む信号と、を受信する機能を有し、
前記ポンプ制御部は、前記通信部が前記開始信号を受信した場合に前記薬液の注入が開始されるように前記ポンプを制御し、前記通信部が前記停止信号を受信した場合に前記薬液の注入が停止されるように前記ポンプを制御するように構成され、
前記記憶部は、前記薬液の注入の開始が指示されたことを示す情報を含む開始指示情報とともに前記開始入力者情報を記憶し、前記薬液の注入の停止が指示されたことを示す情報を含む停止指示情報とともに前記停止入力者情報を記憶するように構成される、薬液注入システム。
【請求項２】
前記外部機器から出力される信号が入力される通信モジュールをさらに備え、
前記通信モジュールは、
前記薬液注入装置に前記通信モジュールを装着するための装着部と、
前記外部機器から出力されて前記通信モジュールに入力される前記信号を、前記通信モジュールが装着された前記薬液注入装置に送信する機能を有するモジュール通信部と、を有し、
各薬液注入装置は、その薬液注入装置とこれに装着された前記通信モジュールとの間の通信が可能な状態になったことを示す表示を行う表示部を有し、
各薬液注入装置の前記通信部は、前記外部機器から出力されて前記通信モジュールに入力される前記信号を、前記通信モジュールとの間の前記通信によってのみ受信可能に構成されている、請求項１に記載の薬液注入システム。
【請求項３】
患者へ薬液を注入するための薬液注入装置であって、
前記薬液を送るポンプと、通信部と、ポンプ制御部と、記憶部と、を備え、
前記通信部は、
前記薬液注入装置の外部に設けられた外部機器から出力される信号であって前記薬液の注入の開始を指示する開始信号と、
前記外部機器から出力される信号であって前記薬液の注入の開始を指示するための入力を前記外部機器に対して行った開始入力者を識別する開始入力者情報を含む信号と、
前記外部機器から出力される信号であって前記薬液の注入の停止を指示する停止信号と、
前記外部機器から出力される信号であって前記薬液の注入の停止を指示するための入力を前記外部機器に対して行った停止入力者を識別する停止入力者情報を含む信号と、を受信する機能を有し、
前記ポンプ制御部は、前記通信部が前記開始信号を受信した場合に前記薬液の注入が開始されるように前記ポンプを制御し、前記通信部が前記停止信号を受信した場合に前記薬液の注入が停止されるように前記ポンプを制御するように構成され、
前記記憶部は、前記薬液の注入の開始が指示されたことを示す情報を含む開始指示情報とともに前記開始入力者情報を記憶し、前記薬液の注入の停止が指示されたことを示す情報を含む停止指示情報とともに前記停止入力者情報を記憶するように構成される、薬液注入装置。
【請求項４】
前記開始指示情報は、前記開始入力者による前記入力が行われた日時を示す情報をさらに含み、前記停止指示情報は、前記停止入力者による前記入力が行われた日時を示す情報をさらに含む、請求項３に記載の薬液注入装置。
【請求項５】
前記通信部は、前記開始指示情報、前記開始入力者情報、前記停止指示情報、及び前記停止入力者情報を含む信号を前記外部機器に送信する機能をさらに有する、請求項３又は４に記載の薬液注入装置。
【請求項６】
前記記憶部は、前記薬液の注入の開始と停止に関する情報以外の情報であって前記外部機器から出力される指示信号に係る指示情報とともに当該指示信号に係る指示をするための入力を前記外部機器に対して行った入力者を識別する入力者情報を記憶するように構成されている、請求項３〜５の何れか１項に記載の薬液注入装置。
【請求項７】
薬液注入装置を用いて患者へ薬液を注入するための薬液注入方法であって、
前記薬液注入装置の外部に設けられた外部機器から出力される信号であって前記薬液の注入の開始を指示する開始信号を前記薬液注入装置が受信する工程と、
前記薬液注入装置が前記開始信号を受信した場合に前記薬液注入装置が前記薬液の注入を開始する工程と、
前記薬液の注入の開始が指示されたことを示す情報を含む開始指示情報とともに、前記薬液の注入の開始を指示するための入力を前記外部機器に対して行った開始入力者を識別する開始入力者情報を前記薬液注入装置が記憶する工程と、
前記外部機器から出力される信号であって前記薬液の注入の停止を指示する停止信号を前記薬液注入装置が受信する工程と、
前記薬液注入装置が前記停止信号を受信した場合に前記薬液注入装置が前記薬液の注入を停止する工程と、
前記薬液の注入の停止が指示されたことを示す情報を含む停止指示情報とともに、前記薬液の注入の停止を指示するための入力を前記外部機器に対して行った停止入力者を識別する停止入力者情報を前記薬液注入装置が記憶する工程と、を備える薬液注入方法。
【請求項８】
前記開始指示情報は、前記開始入力者による前記入力が行われた日時を示す情報をさらに含み、前記停止指示情報は、前記停止入力者による前記入力が行われた日時を示す情報をさらに含む、請求項７に記載の薬液注入方法。
【請求項９】
前記薬液注入装置に記憶されている前記開始指示情報、前記開始入力者情報、前記停止指示情報、及び前記停止入力者情報を含む信号が前記薬液注入装置から前記外部機器に送信されることにより、前記開始指示情報、前記開始入力者情報、前記停止指示情報、及び前記停止入力者情報を前記外部機器が記憶する工程と、
前記外部機器に記憶された前記開始指示情報、前記開始入力者情報、前記停止指示情報、及び前記停止入力者情報を前記外部機器に表示する工程と、をさらに備える、請求項７又は８に記載の薬液注入方法。
【請求項１０】
患者へ薬液を注入するための薬液注入装置に実装されるプログラムであって、
前記薬液注入装置の外部に設けられた外部機器から出力される信号であって前記薬液の注入の開始を指示する開始信号を前記薬液注入装置が受信する処理と、
前記薬液注入装置が前記開始信号を受信した場合に前記薬液注入装置が前記薬液の注入を開始する処理と、
前記薬液の注入の開始が指示されたことを示す情報を含む開始指示情報とともに、前記薬液の注入の開始を指示するための入力を前記外部機器に対して行った開始入力者を識別する開始入力者情報を前記薬液注入装置が記憶する処理と、
前記外部機器から出力される信号であって前記薬液の注入の停止を指示する停止信号を前記薬液注入装置が受信する処理と、
前記薬液注入装置が前記停止信号を受信した場合に前記薬液注入装置が前記薬液の注入を停止する処理と、
前記薬液の注入の停止が指示されたことを示す情報を含む停止指示情報とともに、前記薬液の注入の停止を指示するための入力を前記外部機器に対して行った停止入力者を識別する停止入力者情報を前記薬液注入装置が記憶する処理と、を前記薬液注入装置に実行させる、プログラム。
【発明の詳細な説明】
【技術分野】
【０００１】
本発明は、患者へ薬液を注入するための薬液注入システム、薬液注入装置、薬液注入方法及びプログラムに関するものである。
【背景技術】
【０００２】
従来、容器に収容された薬液を患者の体内に注入するための薬液注入装置が知られている。
【０００３】
例えば特許文献１は、投与スケジュールと薬液の消費履歴を記憶する一時記録部を有するスレーブ制御手段を備える薬液注入装置と、操作部と表示部を制御するプログラミング部を有するとともに、前記一時記憶部との間で前記投与スケジュールと前記消費履歴の送受信を行ない、前記スレーブ制御手段に対して接続されることで、特定の識別信号に基づき前記送受信を行うメイン制御手段と、前記薬液注入装置を装着する装着手段とを有する外部制御装置とから構成される薬液注入システムを開示している。
【０００４】
この特許文献１の薬液注入システムでは、薬液注入装置の流量制御ユニットに設けられた動作スイッチをオンすると、予め入力された薬液注入装置側の動作情報に従って、薬液注入が開始される。
【先行技術文献】
【特許文献】
【０００５】
【特許文献１】特開２０００−０４２１０２号公報
【発明の概要】
【発明が解決しようとする課題】
【０００６】
ところで、医療現場においては、一人の患者は、例えば交代勤務する複数の看護師によって看護されるのが一般的である。そして、特定の患者に対する薬液注入の処置を、医師や看護師などの複数の医療従事者のうちの何れの者が行ったかについて後日確認する必要が生じることがある。
【０００７】
しかし、特許文献１の薬液注入システムでは、薬液注入装置の流量制御ユニットに設けられた動作スイッチを複数の医療従事者のうちの何れの者がオンにしたかについて後日確認するための考慮はなされていない。このため、患者に対して薬液注入の処置を行った医療従事者を後日確認するための看護記録を、薬液注入システムとは別に作成するという煩雑な作業が必要になる。
【課題を解決するための手段】
【０００８】
本発明の目的は、患者に対する薬液注入の処置を、複数の医療従事者のうちの何れの者が行ったかについて確認することができる薬液注入システム、薬液注入装置、薬液注入方法及びプログラムを提供することにある。
【０００９】
（１）本発明の前記薬液注入システムは、患者へ薬液を注入するためのものである。前記薬液注入システムは、前記複数の患者のそれぞれに対応する複数の薬液注入装置と、前記複数の薬液注入装置の外部に設けられ、前記複数の薬液注入装置に対して前記薬液の注入の開始及び停止の指示を与える少なくとも１つの外部機器と、を備える。
【００１０】
各薬液注入装置は、前記薬液を送るポンプと、通信部と、ポンプ制御部と、記憶部と、を備える。前記通信部は、前記薬液注入装置の外部に設けられた外部機器から出力される信号であって前記薬液の注入の開始を指示する開始信号と、前記外部機器から出力される信号であって前記薬液の注入の開始を指示するための入力を前記外部機器に対して行った開始入力者を識別する開始入力者情報を含む信号と、前記外部機器から出力される信号であって前記薬液の注入の停止を指示する停止信号と、前記外部機器から出力される信号であって前記薬液の注入の停止を指示するための入力を前記外部機器に対して行った停止入力者を識別する停止入力者情報を含む信号と、を受信する機能を有する。前記ポンプ制御部は、前記通信部が前記開始信号を受信した場合に前記薬液の注入が開始されるように前記ポンプを制御し、前記通信部が前記停止信号を受信した場合に前記薬液の注入が停止されるように前記ポンプを制御するように構成される。前記記憶部は、前記薬液の注入の開始が指示されたことを示す情報を含む開始指示情報とともに前記開始入力者情報を記憶し、前記薬液の注入の停止が指示されたことを示す情報を含む停止指示情報とともに前記停止入力者情報を記憶するように構成される。
【００１１】
本発明の薬液注入システムでは、各薬液注入装置の記憶部には、前記開始指示情報とともに前記開始入力者情報が記憶され、前記停止指示情報とともに前記停止入力者情報が記憶される。したがって、各患者に対して複数の医療従事者のうちの何れの者が薬液注入の処置を行ったかについて、各患者に対応する薬液注入装置の記憶部に記憶された上記情報に基づいて当該処置の後に確認することができる。具体的には次の通りである。
【００１２】
例えば特許文献１の薬液注入装置では、薬液の注入の開始又は停止を行うための動作スイッチが薬液注入装置に設けられているため、医療従事者を含み薬液注入装置の周囲に位置する複数の関係者が、薬液注入装置に設けられた動作スイッチを簡単にオン又はオフすることが可能である。しかも、動作スイッチをオン又はオフするという簡単な構成であるため、動作スイッチの操作を何れの者が行ったかについての履歴は薬液注入システムに残らない。このため、当該薬液注入システムだけでは、患者に対する薬液注入の処置を何れの者が行ったかについて後日確認することはできない。
【００１３】
一方、本発明の薬液注入システムでは、前記複数の関係者が薬液注入装置自体をいかに操作しても薬液注入の開始又は停止の動作をさせることができない構成をあえて採用している。本発明では、薬液の注入を開始又は停止する医療従事者は、そのための入力を外部機器に対して行う必要があり、その入力に基づいて外部機器から前記開始信号、前記開始入力者情報を含む信号、前記停止信号、前記停止入力者情報を含む信号などが出力される。そして、開始信号又は停止信号を薬液注入装置の通信部が受信した場合に薬液の注入が開始又は停止され、また、前記開始指示情報とともに前記開始入力者情報が記憶部に記憶され、前記停止指示情報とともに前記停止入力者情報が記憶部に記憶される。したがって、複数の医療従事者のうちの何れの医療従事者によって外部機器に対して薬液注入の開始又は停止の入力が行われたかについての履歴を薬液注入装置に残すことができる。
【００１４】
これにより、各患者に対して薬液注入の処置を行った医療従事者を後日確認するための看護記録を、各患者に対応する薬液注入装置の記憶部に記憶された前記開始指示情報、前記開始入力者情報、前記停止指示情報、及び前記停止入力者情報に基づいて容易に作成することができる。また、本発明では、医療従事者以外の者が薬液注入装置自体を操作しても薬液注入の開始又は停止の操作を行うことができないので、医師や看護師などの医療従事者の意に反して、医療従事者以外の者が薬液注入装置を操作して薬液の注入を開始又は停止させることを防ぐことができる。これにより、薬液注入時における安全性を高めることができる。
【００１５】
（２）前記薬液注入システムは、前記外部機器から出力される信号が入力される通信モジュールをさらに備え、前記通信モジュールは、前記薬液注入装置に前記通信モジュールを装着するための装着部と、前記外部機器から出力されて前記通信モジュールに入力される前記信号を、前記通信モジュールが装着された前記薬液注入装置に送信する機能を有するモジュール通信部と、を有し、各薬液注入装置は、その薬液注入装置とこれに装着された前記通信モジュールとの間の通信が可能な状態になったことを示す表示を行う表示部を有し、各薬液注入装置の前記通信部は、前記外部機器から出力されて前記通信モジュールに入力される前記信号を、前記通信モジュールとの間の前記通信によってのみ受信可能に構成されているのが好ましい。
【００１６】
この態様では、医療従事者は、前記通信モジュールが複数の薬液注入装置のうちの何れかに装着されると、その装着された薬液注入装置と当該通信モジュールとの間の通信が可能な状態になったことを薬液注入装置の表示部を目視することにより確認できる。したがって、医療従事者は、外部機器から出力される開始信号又は停止信号を受信する対象となる薬液注入装置が複数の薬液注入装置のうちの何れの装置であるかについて薬液注入装置の表示部を目視することにより確認できる。しかも、この態様では、外部機器から出力されて通信モジュールに入力される信号は、通信モジュールとこれが装着された薬液注入装置との間の通信によってのみその薬液注入装置に受信される。したがって、外部機器から出力される開始信号又は停止信号が誤って対象外の薬液注入装置に受信されることを確実に防止できる。
【００１７】
（３）本発明の薬液注入装置は、患者へ薬液を注入するためのものである。前記薬液注入装置は、前記薬液を送るポンプと、通信部と、ポンプ制御部と、記憶部と、を備える。前記通信部は、前記薬液注入装置の外部に設けられた外部機器から出力される信号であって前記薬液の注入の開始を指示する開始信号と、前記外部機器から出力される信号であって前記薬液の注入の開始を指示するための入力を前記外部機器に対して行った開始入力者を識別する開始入力者情報を含む信号と、前記外部機器から出力される信号であって前記薬液の注入の停止を指示する停止信号と、前記外部機器から出力される信号であって前記薬液の注入の停止を指示するための入力を前記外部機器に対して行った停止入力者を識別する停止入力者情報を含む信号と、を受信する機能を有する。前記ポンプ制御部は、前記通信部が前記開始信号を受信した場合に前記薬液の注入が開始されるように前記ポンプを制御し、前記通信部が前記停止信号を受信した場合に前記薬液の注入が停止されるように前記ポンプを制御するように構成される。前記記憶部は、前記薬液の注入の開始が指示されたことを示す情報を含む開始指示情報とともに前記開始入力者情報を記憶し、前記薬液の注入の停止が指示されたことを示す情報を含む停止指示情報とともに前記停止入力者情報を記憶するように構成される。
【００１８】
本発明の薬液注入装置では、前記開始指示情報とともに前記開始入力者情報が記憶部に記憶され、前記停止指示情報とともに前記停止入力者情報が記憶部に記憶されるので、複数の医療従事者のうちの何れの者が患者に対する薬液注入の処置を行ったかについて、記憶部に記憶された上記情報に基づいて当該処置の後に確認することができる。これにより、患者に対して薬液注入の処置を行った医療従事者を後日確認するための看護記録を、薬液注入装置の記憶部に記憶された前記開始指示情報、前記開始入力者情報、前記停止指示情報、及び前記停止入力者情報に基づいて容易に作成することができる。
【００１９】
また、本発明では、医療従事者以外の者が薬液注入装置自体を操作しても薬液注入の開始又は停止の操作を行うことができないので、医師や看護師などの医療従事者の意に反して、医療従事者以外の者が薬液注入装置を操作して薬液の注入を開始又は停止させることを防ぐことができる。これにより、薬液注入時における安全性を高めることができる。
【００２０】
（４）前記薬液注入装置において、前記開始指示情報は、前記開始入力者による前記入力が行われた日時を示す情報をさらに含み、前記停止指示情報は、前記停止入力者による前記入力が行われた日時を示す情報をさらに含んでいるのが好ましい。
【００２１】
この態様では、薬液の注入を開始又は停止させるための外部機器への入力がいつ行われたかについての履歴を薬液注入装置に残すことができる。これにより、患者に対する薬液注入の処置が行われた後、何れの医療従事者が薬液の注入の開始及び停止の何れの入力を行ったかについて時系列で確認することができる。
【００２２】
（５）前記薬液注入装置において、前記通信部は、前記開始指示情報、前記開始入力者情報、前記停止指示情報、及び前記停止入力者情報を含む信号を前記外部機器に送信する機能をさらに有しているのが好ましい。
【００２３】
この態様では、何れの医療従事者によって外部機器に対して薬液注入の開始又は停止の入力が行われたかについての履歴を外部機器においても確認することが可能になる。この場合、薬液注入装置に前記履歴を表示するための表示装置を設ける必要がないので、薬液注入装置の構造を簡素化することができる。
【００２４】
（６）前記薬液注入装置において、前記記憶部は、前記薬液の注入の開始と停止に関する情報以外の情報であって前記外部機器から出力される指示信号に係る指示情報とともに当該指示信号に係る指示をするための入力を前記外部機器に対して行った入力者を識別する入力者情報を記憶するように構成されているのが好ましい。
【００２５】
この態様では、薬液の注入の開始と停止に関する情報以外の情報についても、外部機器から出力される信号に基づいて記憶部に記憶されるので、薬液注入装置の構造をさらに簡素化することができる。具体的には、薬液の注入の開始と停止に関する情報以外の情報としては、薬液の注入の設定値の設定又は変更が指示されたことを示す情報を含む設定指示情報と、当該設定指示の入力を外部機器に対して行った設定入力者を識別する設定入力者情報とを例示できる。そして、例えば設定入力者と開始入力者とが異なる医療従事者である場合には、開始入力者は、記憶部に記憶された設定入力者による設定指示情報に基づいて、設定入力者が行った設定指示の内容を確認することができる。したがって、設定指示の内容を設定入力者と開始入力者によってダブルチェックすることができる。また、薬液の注入の開始と停止に関する情報以外の情報としては、アラームの解除が指示されたことを示す情報を含む解除指示情報と、当該解除指示の入力を外部機器に対して行った解除入力者を識別する解除入力者情報とを例示できる。さらに、薬液の注入の開始と停止に関する情報以外の情報としては、患者の状況に関する情報と、当該患者の状況に関する情報の入力を外部機器に対して行った状況入力者を識別する状況入力者情報とを例示できる。
【００２６】
（７）本発明の薬液注入方法は、薬液注入装置を用いて患者へ薬液を注入するための方法である。前記薬液注入方法は、前記薬液注入装置の外部に設けられた外部機器から出力される信号であって前記薬液の注入の開始を指示する開始信号を前記薬液注入装置が受信する工程と、前記薬液注入装置が前記開始信号を受信した場合に前記薬液注入装置が前記薬液の注入を開始する工程と、前記薬液の注入の開始が指示されたことを示す情報を含む開始指示情報とともに、前記薬液の注入の開始を指示するための入力を前記外部機器に対して行った開始入力者を識別する開始入力者情報を前記薬液注入装置が記憶する工程と、前記外部機器から出力される信号であって前記薬液の注入の停止を指示する停止信号を前記薬液注入装置が受信する工程と、前記薬液注入装置が前記停止信号を受信した場合に前記薬液注入装置が前記薬液の注入を停止する工程と、前記薬液の注入の停止が指示されたことを示す情報を含む停止指示情報とともに、前記薬液の注入の停止を指示するための入力を前記外部機器に対して行った停止入力者を識別する停止入力者情報を前記薬液注入装置が記憶する工程と、を備える。
【００２７】
本発明の薬液注入方法では、患者に対して複数の医療従事者のうちの何れの者が薬液注入の処置を行ったかについて、薬液注入装置に記憶された上記情報に基づいて当該処置の後に確認することができる。これにより、患者に対して薬液注入の処置を行った医療従事者を後日確認するための看護記録を、患者に対応する薬液注入装置に記憶された前記開始指示情報、前記開始入力者情報、前記停止指示情報、及び前記停止入力者情報に基づいて容易に作成することができる。また、本発明では、医療従事者以外の者が薬液注入装置自体を操作しても薬液注入の開始又は停止の操作を行うことができないので、医師や看護師などの医療従事者の意に反して、医療従事者以外の者が薬液注入装置を操作して薬液の注入を開始又は停止させることを防ぐことができる。これにより、薬液注入時における安全性を高めることができる。
【００２８】
（８）前記薬液注入方法において、前記開始指示情報は、前記開始入力者による前記入力が行われた日時を示す情報をさらに含み、前記停止指示情報は、前記停止入力者による前記入力が行われた日時を示す情報をさらに含んでいるのが好ましい。
【００２９】
この態様では、薬液の注入を開始又は停止させるための外部機器への入力がいつ行われたかについての履歴を薬液注入装置に残すことができる。これにより、患者に対する薬液注入の処置が行われた後、何れの医療従事者が薬液の注入の開始及び停止の何れの入力を行ったかについて時系列で確認することができる。
【００３０】
（９）前記薬液注入方法は、前記薬液注入装置に記憶されている前記開始指示情報、前記開始入力者情報、前記停止指示情報、及び前記停止入力者情報を含む信号が前記薬液注入装置から前記外部機器に送信されることにより、前記開始指示情報、前記開始入力者情報、前記停止指示情報、及び前記停止入力者情報を前記外部機器が記憶する工程と、前記外部機器に記憶された前記開始指示情報、前記開始入力者情報、前記停止指示情報、及び前記停止入力者情報を前記外部機器に表示する工程と、をさらに備えているのが好ましい。
【００３１】
この態様では、医療従事者は、外部機器に記憶される前記履歴を外部機器に表示させることによっていつでも確認することが可能になる。したがって、薬液注入装置に履歴を表示するための表示部を設ける必要がなくないので、薬液注入装置の構造を簡素化することができる。
【００３２】
（１０）本発明のプログラムは、患者へ薬液を注入するための薬液注入装置に実装されるものである。前記プログラムは、前記薬液注入装置の外部に設けられた外部機器から出力される信号であって前記薬液の注入の開始を指示する開始信号を前記薬液注入装置が受信する処理と、前記前記薬液注入装置が前記開始信号を受信した場合に前記薬液注入装置が前記薬液の注入を開始する処理と、前記薬液の注入の開始が指示されたことを示す情報を含む開始指示情報とともに、前記薬液の注入の開始を指示するための入力を前記外部機器に対して行った開始入力者を識別する開始入力者情報を前記薬液注入装置が記憶する処理と、前記外部機器から出力される信号であって前記薬液の注入の停止を指示する停止信号を前記薬液注入装置が受信する処理と、前記薬液注入装置が前記停止信号を受信した場合に前記薬液注入装置が前記薬液の注入を停止する処理と、前記薬液の注入の停止が指示されたことを示す情報を含む停止指示情報とともに、前記薬液の注入の停止を指示するための入力を前記外部機器に対して行った停止入力者を識別する停止入力者情報を前記薬液注入装置が記憶する処理と、を前記薬液注入装置に実行させる。
【００３３】
本発明のプログラムを薬液注入装置に実行させることにより、患者に対して複数の医療従事者のうちの何れの者が薬液注入の処置を行ったかについて、薬液注入装置に記憶された上記情報に基づいて当該処置の後に確認することができる。これにより、患者に対して薬液注入の処置を行った医療従事者を後日確認するための看護記録を、患者に対応する薬液注入装置に記憶された前記開始指示情報、前記開始入力者情報、前記停止指示情報、及び前記停止入力者情報に基づいて容易に作成することができる。また、本発明では、医療従事者以外の者が薬液注入装置自体を操作しても薬液注入の開始又は停止の操作を行うことができないので、医師や看護師などの医療従事者の意に反して、医療従事者以外の者が薬液注入装置を操作して薬液の注入を開始又は停止させることを防ぐことができる。これにより、薬液注入時における安全性を高めることができる。
【発明の効果】
【００３４】
本発明によれば、患者に対する薬液注入の処置を、複数の医療従事者のうちの何れの者が行ったかについて確認することができる。
【図面の簡単な説明】
【００３５】
【図１】本発明の実施形態に係る薬液注入システムを示す平面図である。
【図２】前記実施形態に係る薬液注入システムの機能的構成を示すブロック図である。
【図３】前記実施形態に係る薬液注入システムにおいて外部機器と通信モジュールと特定の薬液注入装置とを接続した状態を示す斜視図である。
【図４】本発明の実施形態に係る薬液注入装置と通信モジュールとを示す平面図である。
【図５】本発明の実施形態に係る薬液注入方法を示すフローチャートであり、薬液注入の開始動作を示している。
【図６】前記実施形態に係る薬液注入方法を示すフローチャートであり、薬液注入の停止動作を示している。
【図７】前記実施形態に係る薬液注入方法を示すフローチャートであり、患者の状況を確認する動作を示している。
【図８】前記実施形態に係る薬液注入方法を示すフローチャートであり、アラームの停止動作を示している。
【発明を実施するための形態】
【００３６】
以下、図面を参照しながら、本発明の実施の形態について説明する。なお、以下の実施形態は、本発明を具体化した例であって、本発明の技術的範囲を限定する性格のものではない。
【００３７】
［薬液注入システム］
図１は、本発明の実施形態に係る薬液注入システム１を示す平面図である。図２は、実施形態に係る薬液注入システム１の機能的構成を示すブロック図である。図３は、実施形態に係る薬液注入システム１において外部機器７と通信モジュール８と特定の薬液注入装置２とを接続した状態を示す斜視図である。図４は、実施形態に係る薬液注入装置２と通信モジュール８とを示す平面図である。
【００３８】
薬液注入システム１は、複数の患者に対して、各患者の病状等に合った薬液を各患者に予め設定された設定値でそれぞれ注入するためのものである。薬液注入システム１は、例えば抗凝固薬、循環作動薬、麻酔薬、抗がん剤、抗生剤などの種々の薬液を患者に対して注入するための用途に用いることができるが、薬液注入システム１において使用される薬液はこれらに限られない。
【００３９】
図１に示すように、薬液注入システム１は、複数の薬液注入装置２と、複数の外部機器７と、複数の通信モジュール８と、複数の薬液容器６と、複数の薬液チューブ６０と、追加投与装置９と、を備える。
【００４０】
各薬液容器６は、対応する患者の病状に応じた薬液を収容する。薬液容器６には薬液チューブ６０が接続されている。薬液容器６内の薬液は、薬液注入装置２に設けられた後述のポンプ５１によって薬液チューブ６０を通じて送液され、患者に注入される。
【００４１】
各外部機器７は、薬液注入装置２に対して、薬液の注入の開始を指示する機能、薬液の注入の停止を指示する機能、薬液の注入の設定値を設定する機能、薬液の注入の設定値を変更する機能、薬液の注入に関する履歴を記憶する機能、薬液の注入に関する履歴を表示する機能などを有する。また、各外部機器７は、薬液の注入の開始又は停止を指示するための医療従事者による入力、薬液の注入の設定値の設定又は変更を指示するための医療従事者による入力などを受け付ける機能を有する。
【００４２】
各外部機器７は、薬液注入装置２の外部に設けられ、薬液注入装置２とは別体として構成されている。本実施形態では、各外部機器７は、医師や看護師などの複数の医療従事者が使用することができる。ただし、各外部機器７は、特定の医療従事者に予め割り当てられていてもよい。図１に示す具体例では、複数の外部機器７は、第１の外部機器７と、第２の外部機器７とによって構成されているが、外部機器７の個数は、３つ以上であってもよく、１つであってもよい。
【００４３】
各通信モジュール８は、外部機器７と薬液注入装置２との間に介在する。各通信モジュール８は、外部機器７と特定の薬液注入装置２との間における情報の送受信を選択的に許可する機能、外部機器７から出力された信号を受信し、当該信号を薬液注入装置２に出力する機能、薬液注入装置２から出力された信号を受信し、当該信号を外部機器７に出力する機能などを有する。
【００４４】
各通信モジュール８は、薬液注入装置２の外部に設けられ、薬液注入装置２とは別体として構成されている。本実施形態では、各通信モジュール８は、対応する外部機器７に予め割り当てられている。外部機器７と対応する通信モジュール８とはケーブル６１によって接続されることにより有線通信可能に構成されている。ただし、外部機器７と対応する通信モジュール８とは無線通信可能に構成されていてもよい。図１に示す具体例では、複数の通信モジュール８は、第１の通信モジュール８と、第２の通信モジュール８とによって構成されているが、通信モジュール８の個数は、３つ以上であってもよく、１つであってもよい。
【００４５】
各薬液注入装置２は、外部機器７から出力される信号による指示に従って薬液の注入を開始する機能、外部機器７から出力される信号によって設定される設定値に従って患者に薬液を注入するために薬液を送る機能、外部機器７から出力される信号による指示に従って薬液の注入を停止する機能、薬液の注入に関する履歴を記憶する機能、当該履歴に関する情報を通信モジュール８を介して外部機器７に送信する機能などを有する。
【００４６】
図１に示す具体例では、複数の薬液注入装置２は、第１の薬液注入装置２と、第２の薬液注入装置２と、第３の薬液注入装置２とによって構成されているが、薬液注入装置２の個数は４つ以上であってもよい。これらの薬液注入装置２は、同じ構造を備えている。
【００４７】
複数の薬液注入装置２は、複数の患者のそれぞれに予め割り当てられている。言い換えると、各患者は、専用の薬液注入装置２を使用する。具体的に、例えば患者Ａは、第１の薬液注入装置２を使用し、患者Ｂは、第２の薬液注入装置２を使用し、患者Ｃは、第３の薬液注入装置２を使用する。したがって、薬液注入装置２が特定されると、患者も特定される。
【００４８】
追加投与装置９は、薬液の導出量を増加させるための指示を制御装置３に対して出力するためのものである。例えば、薬液として麻酔薬を使用している場合、患者が痛みの増加に応じて追加投与装置９を操作することにより、麻酔薬の投与量を増やして痛みを緩和することができる。すなわち、追加投与装置９は、薬液注入装置２の外部に設けられ、薬液注入装置２に対して薬液の注入に関する指示を与える第２の外部機器である。
【００４９】
薬液注入システム１の全体的な構成は以上の通りである。以下では、薬液注入システム１を構成する各機器についてさらに具体的に説明する。
【００５０】
［薬液注入装置］
図２及び図４に示すように、各薬液注入装置２は、ポンプ５１と、通信部２１と、モジュール検出部２２と、制御装置３と、安全検出装置４と、これらを収容する筐体２Ａとを備える。
【００５１】
ポンプ５１は、薬液容器６内に収容された薬液を薬液容器６から導出し、薬液チューブ６０を通じて患者に送る機能を有する。ポンプ５１は、薬液を患者に送ることができるものであればよく、その機構は特に限定されるものではない。ポンプ５１は、例えば所定の周期で蠕動運動するように薬液チューブ６０の一部分を押圧することにより、薬液チューブ６０内の薬液を一定の流量で患者に送ることができる。ポンプ５１は、筐体２Ａに設けられる図略の収容部に収容されており、筐体２Ａに対して着脱可能に構成されている。
【００５２】
通信部２１は、外部機器７から出力される種々の信号を受信する機能を有する。外部機器７から出力される信号としては、例えば、薬液の注入の開始を指示する開始信号、薬液の注入の開始を指示するための入力を外部機器７に対して行った開始入力者を識別する開始入力者情報を含む信号、薬液の注入の停止を指示する停止信号、薬液の注入の停止を指示するための入力を外部機器７に対して行った停止入力者を識別する停止入力者情報を含む信号、薬液の注入の設定値の設定又は変更を指示する設定値信号、薬液の注入の設定値の設定又は変更を指示するための入力を外部機器７に対して行った設定入力者を識別する設定入力者情報を含む信号などを挙げることができるが、これらの信号に限られない。
【００５３】
本実施形態では、薬液注入装置２と外部機器７との間には通信モジュール８が介在しているので、通信部２１は、外部機器７から出力される信号を通信モジュール８を介して受信し、外部機器７に送信するための信号を通信モジュール８に出力する。本実施形態では、通信部２１は、後述する通信モジュール８のモジュール通信部８１との間で情報の送受信を行う。モジュール検出部２２は、後述する通信モジュール８の装置検出部８２と協働して薬液注入装置２に対して通信モジュール８が通信可能であることを検出する機能を有する。
【００５４】
制御装置３は、中央演算処理装置（Ｃｅｎｔｒａｌ  Ｐｒｏｃｅｓｓｉｎｇ  Ｕｎｉｔ）、種々の制御プログラムを記憶するＲＯＭ（Ｒｅａｄ  Ｏｎｌｙ  Ｍｅｍｏｒｙ）、ＣＰＵの作業領域として使用されるＲＡＭ（Ｒａｎｄｏｍ  Ａｃｃｅｓｓ  Ｍｅｍｏｒｙ）などから構成される。
【００５５】
図２に示すように、制御装置３は、メイン制御部３１と、記憶部３２と、警報出力部３３と、ポンプ制御部３４とを機能として備える。制御装置３は、ＣＰＵが前記制御プログラムを実行することにより、メイン制御部３１、記憶部３２、警報出力部３３、ポンプ制御部３４などを機能的に構成するように動作する。
【００５６】
メイン制御部３１は、薬液注入装置２の全体的な動作を制御するためのものである。
【００５７】
記憶部３２は、薬液の注入の開始が指示されたことを示す情報を含む開始指示情報とともに前記開始入力者情報を記憶する。また、記憶部３２は、薬液の注入の停止が指示されたことを示す情報を含む停止指示情報とともに前記停止入力者情報を記憶する。さらに、記憶部３２は、薬液の注入の設定値の設定又は変更が指示されたことを示す情報を含む設定指示情報とともに前記設定入力者情報を記憶する。
【００５８】
なお、記憶部３２が記憶する開始指示情報には、外部機器７から出力される開始信号に係る開始指示情報だけでなく、第２の外部機器としての追加投与装置９から出力される開始信号（増量注入の開始信号）に係る開始指示情報も含まれる。また、記憶部３２が記憶する開始入力者情報には、外部機器７から出力される開始信号に係る開始入力者情報だけでなく、追加投与装置９から出力される開始信号（増量注入の開始信号）に係る開始入力者情報も含まれる。本実施形態では、増量注入の開始入力者情報は、追加投与装置９を操作することが想定されている患者に予め設定されている。
【００５９】
同様に、記憶部３２が記憶する停止指示情報には、外部機器７から出力される停止信号に係る停止指示情報だけでなく、第２の外部機器としての追加投与装置９から出力される停止信号（増量注入の停止信号）に係る停止指示情報も含まれる。また、記憶部３２が記憶する停止入力者情報には、外部機器７から出力される停止信号に係る停止入力者情報だけでなく、追加投与装置９から出力される停止信号（増量注入の停止信号）に係る停止入力者情報も含まれる。本実施形態では、増量注入の停止入力者情報は、追加投与装置９を操作することが想定されている患者に予め設定されている。
【００６０】
ポンプ制御部３４は、通信部２１が前記開始信号を受信した場合に薬液の注入が開始されるようにポンプ５１を制御し、通信部２１が前記停止信号を受信した場合に薬液の注入が停止されるようにポンプ５１を制御するように構成されている。
【００６１】
警報出力部３３は、安全検出装置４によって検出される薬液注入装置２の異常の状態に応じて、当該異常を医療従事者等に警報ランプ５６を通じて知らせる機能を有する。
【００６２】
図２に示すように、安全検出装置４は、閉塞検出部４１と、気泡検出部４２と、ポンプ検出部４３と、ドア検出部４４とを含む。
【００６３】
閉塞検出部４１は、薬液チューブ６０の閉塞の有無を検出するためのセンサである。閉塞検出部４１は、例えば薬液チューブ６０の内部が異物で詰まったり、薬液チューブ６０が折れ曲がったりすることによって薬液の流れが阻害されることに起因する薬液チューブ６０の内部の圧力上昇を検出する圧力センサなどによって構成される。
【００６４】
気泡検出部４２は、薬液チューブ６０の内部に混入した気泡を検出するためのセンサである。気泡検出部４２は、例えば超音波センサによって構成される。
【００６５】
ポンプ検出部４３は、ポンプ５１が筐体２Ａの前記収容部に収容されているか否かを検出するセンサである。
【００６６】
ドア検出部４４は、筐体２Ａの前記収容部を開閉する図略の扉の開閉状態を検出するセンサである。
【００６７】
図２及び図４に示すように、各薬液注入装置２は、表示部５２と、警報部５３と、インジケータ５４と、再警報待機ランプ５５と、警報ランプ５６と、給電ランプ５７と、バッテリーランプ５８とをさらに備える。
【００６８】
表示部５２は、薬液注入装置２の動作状況を表示するためのものである。本実施形態では、表示部５２は、パイロットランプによって構成されているが、これに限られず、例えば液晶表示装置などによって構成されていてもよい。
【００６９】
表示部５２が表示する薬液注入装置２の動作状況としては、次のようなものが例示できる。表示部５２は、例えば薬液注入装置２に対して通信モジュール８が装着され、これらの間の通信が可能な状態になったことを表示することができる。また、表示部５２は、薬液注入装置２が薬液の注入動作中であることを表示することができる。また、表示部５２は、閉塞検出部４１、気泡検出部４２、ポンプ検出部４３、ドア検出部４４などのセンサによって検出された異常状態を表示することができる。また、表示部５２は、薬液注入装置２が後述するロックアウトタイム中であることを表示することができる。さらに、表示部５２は、薬液注入装置２が停止中であることを表示することができる。
【００７０】
これらの動作状況は表示部５２としてのパイロットランプを異なる色で点灯させたり、点滅させたり、消灯させたりすることによって表示される。また、表示部５２が液晶表示装置などの表示装置によって構成されている場合には、これらの動作状況は、文字、図形などによって表示されてもよい。
【００７１】
インジケータ５４は、薬液の注入中にそのおおよその流量を医療従事者に知らせるための表示を行う。インジケータ５４は、例えば流量に応じた速度でスクロールするように構成されている。
【００７２】
再警報待機ランプ５５は、再警報待機中にランプ表示する。薬液注入装置２に何らかのエラーが発生して警報音が鳴っている場合、医療従事者は薬液注入装置２と外部機器７との通信を確立した後に警報音を消す（アラームを解除する）。しかし、アラームを解除しても薬液注入装置２に発生したエラー状態が解消したわけではないので、アラームの解除から一定時間経過しても薬液注入装置２のエラー状態が解消されていない場合には、再度警報音が鳴るように薬液注入装置２が構成されている。このように再警報待機ランプ５５は、医療従事者によってアラームが解除された状態（消音状態）で、かつ、薬液注入装置２のエラーが解消されていない状態である場合に表示される。
【００７３】
警報部５３及び警報ランプ５６は、上述した安全検出装置４によって検出される薬液注入装置２の異常を医療従事者に知らせるためのものである。安全検出装置４によって薬液注入装置２の異常が検知されたときには、警報出力部３３は、警報部５３が警報音を発し、警報ランプ５６が点灯、点滅等の表示を行うように警報部５３及び警報ランプ５６を制御して当該異常を医療従事者に知らせる。
【００７４】
給電ランプ５７は、電源部２４のバッテリーの残量が少なくなったことを医療従事者に知らせるための表示を行う。バッテリーランプ５８は、電源部２４のバッテリーの残量を表示する。
【００７５】
各薬液注入装置２は、追加受信部２５をさらに備える。追加受信部２５は、追加投与装置９から出力される薬液の追加投与信号を受信する。当該追加投与信号は、第２の外部機器としての追加投与装置９から出力される信号であって薬液の増量注入の開始を指示する開始信号（増量注入の開始信号）である。図２に示すように、追加投与装置９は、追加送信部９１と、追加制御部９２と、追加投与スイッチ９３と、電源部９４とを含む。追加投与装置９は電源部９４の電力によって動作し、追加投与装置９の動作は追加制御部９２によって制御される。患者によって追加投与スイッチ９３が操作されると、追加送信部９１は、薬液の導出量を増加させるための前記追加投与信号を無線で薬液注入装置２の追加受信部２５に送信する。追加受信部２５が当該信号を受信すると、ポンプ制御部３４は、薬液の注入の流量が増量されるようにポンプ５１を制御する。
【００７６】
ただし、ポンプ制御部３４は、追加投与装置９からの前記信号を追加受信部２５が受信した場合に、追加投与装置９からの前回の信号を受信してから予め設定された時間（ロックアウトタイム）が経過しているか否かを判定する。ポンプ制御部３４は、ロックアウトタイムが経過していないと判定すると、当該追加投与装置９からの指示は無効と判断する。これにより、患者に対して過剰な薬液の投与を防止する。一方、ポンプ制御部３４は、ロックアウトタイムが経過していると判定すると、追加投与装置９からの指示に応じた増加流量で薬液を導出するための駆動電圧を設定し、予め設定された期間が経過すると、通常の流量（増量前の設定流量）で薬液を導出するための駆動電圧に戻す。
【００７７】
上記のようにポンプ制御部３４は、追加受信部２５が増量注入の前記開始信号を受信した場合に前記薬液の増量注入が開始されるようにポンプ５１を制御する。また、ポンプ制御部３４は、追加受信部２５が増量注入の停止信号を受信した場合に薬液の増量注入が停止されるようにポンプ５１を制御してもよく、この場合、薬液の注入量は例えば増量前の通常の注入量に戻るようにポンプ５１を制御してもよい。当該増量注入の停止信号は、第２の外部機器としての追加投与装置９から出力される信号であって薬液の増量注入の停止を指示する停止信号である。
【００７８】
各薬液注入装置２は、無線給電部２３と、電源部２４とをさらに備える。本実施形態では、電源部２４は、充電池によって構成されている。電源部２４を充電する際には、薬液注入装置２は、例えば電磁誘導方式で充電を行うための図略の無線充電台上に配置される。これにより、無線給電部２３のコイルに対して電磁誘導で電流を発生させることにより電源部２４を充電することができる。
【００７９】
本実施形態では、各薬液注入装置２は、薬液の注入を開始するためのスイッチ、薬液の注入を停止するためのスイッチ、薬液の注入の設定値についての設定を変更するための入力手段などの操作手段を備えていない。また、本実施形態では、各薬液注入装置２は、文字を表示するための液晶表示装置などの表示装置を備えていない。
【００８０】
また、本実施形態では、薬液注入装置２と通信モジュール８との間の信号の送受信は、赤外線通信を利用した無線データ通信によって行われ、しかも、薬液注入装置２の充電は、電磁誘導方式などの無線充電によって行われる。したがって、薬液注入装置２には、有線データ通信の場合に必要になる端子接続用の開口部や、有線充電の場合に必要になる端子接続用の開口部を設ける必要がない。これにより、本実施形態に係る薬液注入装置２は、防滴性に優れている。
【００８１】
［通信モジュール］
通信モジュール８は、薬液注入装置２と外部機器７との間の情報の送受信を中継するためのものである。図２及び図４に示すように、通信モジュール８は、装着部としての一対の係合部８０と、モジュール通信部８１と、装置検出部８２と、データ変換部８３とを備える。
【００８２】
薬液注入装置２と外部機器７とが情報の送受信を行う際には、通信モジュール８は、薬液注入装置２の所定の部位に装着される。薬液注入装置２は、一対の係合部８０が係合する一対の被係合部２０を有する。通信モジュール８の一対の係合部８０を薬液注入装置２の一対の被係合部２０に係合させることにより、図３に示すように通信モジュール８が薬液注入装置２に装着される。この装着状態では、通信モジュール８のモジュール通信部８１は、薬液注入装置２の通信部２１に対して近接又は当接した状態で対向する位置に配置される。本実施形態では、通信モジュール８のモジュール通信部８１と薬液注入装置２の通信部２１とは、赤外線を用いた無線データ通信である赤外線通信によって互いに情報の送受信を行う。
【００８３】
通信モジュール８の装置検出部８２と薬液注入装置２のモジュール検出部２２とは、薬液注入装置２に対して通信モジュール８が通信可能であることを検出するためのものである。これらの検出部２２，８２としては、例えば光センサ、磁気センサなどを例示できるが、これらに限られない。光センサは、光の断続や強さを検出して電気信号に変換するセンサであり、磁気センサは、磁石の磁束密度を検出して電気信号に変換するセンサである。
【００８４】
薬液注入装置２に対して通信モジュール８が通信可能であることが前記検出部２２，８２によって検出されると、装置検出部８２は、電気信号をデータ変換部８３に出力し、データ変換部８３は、外部機器７と薬液注入装置２との間の情報の送受信を許容する。また、データ変換部８３は、前記情報の送受信を許容する機能に加えて、さらに、規格の異なるデータを送受信可能なように変換するアダプタとしての機能を有する。本実施形態では、薬液注入装置２と通信モジュール８は、赤外線通信によって互いに情報を送受信するように構成され、外部機器７と通信モジュール８は、ユニバーサルシリアルバス（ＵＳＢ）の規格によって互いに情報を送受信するように構成されている。データ変換部８３は、これらの規格の異なるデータを薬液注入装置２と外部機器７との間で送受信可能なように変換する。
【００８５】
［外部機器］
外部機器７は、上述した種々の機能を有する。外部機器７としては、これらの種々の機能を有するものであればよく、その具体的態様は限定されない。外部機器７としては、例えばスマートフォン、タブレット端末、ノートパソコンなどの携帯型情報通信端末を用いることができる。図１及び図３に示す具体例では、外部機器７としてスマートフォンを用いている。
【００８６】
外部機器７は、機器制御部７１と、機器記憶部７２と、入力受付部７３と、機器通信部７４と、表示装置７５とを備える。機器制御部７１は、外部機器７の動作を制御する。表示装置７５は、例えば液晶表示装置などによって構成される。
【００８７】
入力受付部７３は、医療従事者による種々の入力を受け付ける機能を有する。入力受付部７３は、例えば、薬液の注入を開始させる開始入力者によって行われる薬液の注入を開始させるための入力と、薬液の注入を停止させる停止入力者によって行われる薬液の注入を停止させるための入力と、薬液の注入の設定値を設定又は変更する設定入力者によって行われる入力と、を受け付ける。開始入力者、停止入力者及び設定入力者は、何れも医師や看護師などの医療従事者である。
【００８８】
入力受付部７３は、薬液の注入の開始を指示するための入力を行う開始入力者を識別するための識別情報の入力を受け付ける。また、入力受付部７３は、薬液の注入の停止を指示するための入力を行う停止入力者を識別するための識別情報の入力を受け付ける。さらに、入力受付部７３は、薬液の注入の設定値の設定又は変更を指示するための入力を行う設定入力者を識別するための識別情報の入力を受け付ける。これらの識別情報は、例えば外部機器７の表示装置７５に表示される入力画面において開始入力者、停止入力者又は設定入力者を特定可能な情報が入力されることによって入力受付部７３に受け付けられ、機器記憶部７２に記憶される。
【００８９】
機器通信部７４は、入力受付部７３に受け付けられた前記入力に基づいて薬液注入装置２に対して指示を与える種々の信号を出力する。当該種々の信号としては、前記開始信号、前記停止信号、前記開始入力者情報を含む信号、前記停止入力者情報を含む信号、前記設定信号、前記設定入力者情報を含む信号などを例示できる。
【００９０】
機器記憶部７２は、種々の情報を記憶する。当該種々の情報としては、前記開始指示情報、前記開始入力者情報、前記停止指示情報、前記停止入力者情報、前記設定指示情報、前記設定入力者情報などを例示できる。
【００９１】
表示装置７５は、機器記憶部７２に記憶された前記開始指示情報、前記開始入力者情報、前記停止指示情報、前記停止入力者情報、前記設定指示情報、前記設定入力者情報などを表示する。
【００９２】
［薬液注入の開始動作］
図５は、本発明の実施形態に係る薬液注入方法を示すフローチャートである。図５に示すフローチャートは、実施形態に係る薬液注入方法のうち、薬液の注入開始まで（輸液開始まで）の流れを示している。
【００９３】
図５に示すように、医師、看護師などの医療従事者は、当該医療従事者を識別するための識別情報を外部機器７に入力する（ステップＳ１）。具体的に、当該識別情報は、外部機器７の表示装置７５に表示される入力画面において当該医療従事者を特定可能な情報が入力されることによって入力受付部７３に受け付けられ、機器記憶部７２に記憶される。当該識別情報としては、外部機器７を利用する医療従事者が当該利用の開始時に外部機器７にログインする際に入力する認証ＩＤを例示できる。なお、認証ＩＤの入力とともにパスワードの入力が要求されてもよい。
【００９４】
次に、医療従事者は、通信モジュール８を薬液注入装置２に近づける（ステップＳ２）。具体的には、本実施形態では、図３及び図４に示すように、通信モジュール８は、通信モジュール８の一対の係合部８０を薬液注入装置２の一対の被係合部２０に係合させることにより、薬液注入装置２における予め設定された部位に装着される。
【００９５】
通信モジュール８が薬液注入装置２に装着されると、通信モジュール８の装置検出部８２は、通信モジュール８が薬液注入装置２に対して通信可能であることを検出し、データ変換部８３は、外部機器７と薬液注入装置２との間の情報の送受信を許容する。
【００９６】
また、通信モジュール８が薬液注入装置２に装着されると、薬液注入装置２のモジュール検出部２２は、通信モジュール８が薬液注入装置２に対して通信可能であることを検出する（ステップＳ３）。
【００９７】
次に、薬液注入装置２のメイン制御部３１は、薬液注入装置２がスリープ状態にあるか否かを判定する（ステップＳ４）。薬液注入装置２がスリープ状態にあるとき、薬液注入装置２の電源はオフの状態にあり、薬液注入装置２がスリープ状態にないとき、薬液注入装置２の電源はオンの状態にある。
【００９８】
薬液注入装置２がスリープ状態にあるとメイン制御部３１が判定すると（ステップＳ４においてＹＥＳ）、メイン制御部３１は、薬液注入装置２の電源をオンにする制御を行い（ステップＳ５）、通信モジュール８を介した薬液注入装置２と外部機器７との通信が開始される（ステップＳ６）。薬液注入装置２がスリープ状態にないとメイン制御部３１が判定すると（ステップＳ４においてＮＯ）、薬液注入装置２の電源をオンにする制御を行うことなく、通信モジュール８を介した薬液注入装置２と外部機器７との通信が開始される（ステップＳ６）。
【００９９】
当該通信においては、外部機器７の機器制御部７１は、通信モジュール８が装着された薬液注入装置２についての初期確認を行う。当該初期確認には、通信モジュール８が装着された薬液注入装置２が複数の薬液注入装置２（第１の薬液注入装置２、第２の薬液注入装置２及び第３の薬液注入装置２）のうちの何れの装置であるかの確認が含まれる。具体的に、薬液注入装置２の識別情報に関する信号が薬液注入装置２から出力され、通信モジュール８を経由して外部機器７に入力される。薬液注入装置２の前記識別情報は、例えばシリアル番号のように個々の薬液注入装置２の識別をするために予め個々の薬液注入装置２に割り当てられている情報である。
【０１００】
次に、外部機器７の機器制御部７１は、薬液注入装置２に関する情報や追加投与装置９に関する情報を薬液注入装置２から読み出す（ステップＳ７）。当該薬液注入装置２に関する情報には、例えば個々の薬液注入装置２に設定されている設定値、薬液注入装置２の電池残量などの情報が含まれる。当該設定値には、例えば、薬液注入時における薬液の流量、薬液の注入量などが含まれる。前記追加投与装置９に関する情報には、例えば、追加投与装置９の操作回数、ロックアウトタイム経過後の有効操作回数、ロックアウトタイム中の無効操作回数、追加投与量などが含まれる。当該薬液注入装置２に関する情報や追加投与装置９に関する情報を含む信号が薬液注入装置２から出力され、通信モジュール８を経由して外部機器７に入力され、当該情報が機器記憶部７２に記憶される。
【０１０１】
次に、外部機器７を操作する医療従事者は、薬液注入装置２による薬液の注入を開始する前に、薬液注入装置２に設定されている設定値を変更することができる。具体的に、本実施形態では、外部機器７の入力受付部７３は、薬液注入装置２の設定を変更するか否かについての医療従事者による入力を受け付ける（ステップＳ８）。入力受付部７３は、薬液注入装置２の設定を変更するか否かについて医療従事者に確認するための表示を行うように外部機器７の表示装置７５を制御する。
【０１０２】
外部機器７の表示装置７５に表示される入力画面において医療従事者が薬液注入装置２の設定を変更するという入力をすると（ステップＳ８においてＹＥＳ）、機器制御部７１は入力された設定変更の情報に関する設定信号を外部機器７から出力する。出力された当該設定信号は、通信モジュール８を経由して薬液注入装置２に入力される。薬液注入装置２に入力された当該設定信号に係る設定変更の情報は、記憶部３２に記憶され、薬液注入装置２の設定が変更される（ステップＳ９）。一方、当該入力画面において医療従事者が薬液注入装置２の設定を変更しないという入力をすると（ステップＳ８においてＮＯ）、設定値は変更されない。
【０１０３】
外部機器７の機器通信部７４は、薬液の注入の開始を指示するための入力を外部機器７に対して行った当該医療従事者（開始入力者）を識別する設定入力者情報を含む信号を外部機器７から出力する。出力された当該信号は、通信モジュール８を経由して薬液注入装置２に入力される。薬液注入装置２に入力された当該信号に係る開始入力者情報は、記憶部３２に記憶される（ステップＳ１０）。
【０１０４】
また、設定値の変更がされた場合には、外部機器７の機器通信部７４は、薬液の注入の設定値の変更を指示するための入力を外部機器７に対して行った当該医療従事者（設定入力者）を識別する設定入力者情報を含む信号を外部機器７から出力する。出力された当該信号は、通信モジュール８を経由して薬液注入装置２に入力される。薬液注入装置２に入力された当該信号に係る設定入力者情報は、記憶部３２に記憶される（ステップＳ１０）。
【０１０５】
薬液注入装置２の設定が変更された場合には、機器制御部７１は、設定変更後の内容を医療従事者が確認できるように、表示装置７５を制御して当該設定変更後の内容を表示する（ステップＳ１１）。また、薬液注入装置２の設定が変更されなかった場合にも、機器制御部７１は、現状の設定の内容を医療従事者が確認できるように、表示装置７５を制御して当該現状の設定の内容を表示する（ステップＳ１１）。
【０１０６】
次に、ポンプ制御部３４は、薬液注入装置２においてプライミングが実行されるようにポンプ５１を制御する（ステップＳ１２）。プライミングは、例えば薬液チューブ６０内に存在する気泡を排出するために一時的に薬液の流量を通常運転の設定値よりも大きな値に設定してポンプ５１を運転するものである。
【０１０７】
プライミングが実行された後、ポンプ制御部３４は、薬液注入装置２に設定されている設定値で薬液の注入が開始されるようにポンプ５１を制御する（ステップＳ１３）。
【０１０８】
最後に、医療従事者は、通信モジュール８を薬液注入装置２から遠ざける（ステップＳ１４）。具体的に、薬液注入装置２に装着されていた通信モジュール８は、薬液注入装置２から取り外される。通信モジュール８が薬液注入装置２から取り外された後、薬液注入装置２単体では、薬液の注入の停止、薬液の注入の設定値の変更などを行うことはできない。これにより、医療従事者の意に反して、医療従事者以外の者が薬液注入装置２を操作して薬液の注入を停止させることを防ぐことができる。
【０１０９】
［薬液注入の停止動作］
図６は、実施形態に係る薬液注入方法を示すフローチャートである。図６に示すフローチャートは、実施形態に係る薬液注入方法のうち、薬液の注入終了時の流れを示している。
【０１１０】
図６に示すように、医療従事者は、当該医療従事者を識別するための識別情報を外部機器７に入力する（ステップＳ２１）。当該識別情報の入力は、上述した図５に示すステップＳ１と同様であるので、詳細な説明は省略する。
【０１１１】
次に、医療従事者は、通信モジュール８を薬液注入装置２に近づける（ステップＳ２２）。具体的には、本実施形態では、図３に示すように、通信モジュール８は薬液注入装置２における予め設定された部位に装着される。
【０１１２】
通信モジュール８が薬液注入装置２に装着されると、通信モジュール８の装置検出部８２は、通信モジュール８が薬液注入装置２に対して通信可能であることを検出し、データ変換部８３は、外部機器７と薬液注入装置２との間の情報の送受信を許容する。
【０１１３】
また、通信モジュール８が薬液注入装置２に装着されると、薬液注入装置２のモジュール検出部２２は、通信モジュール８が薬液注入装置２に対して通信可能であることを検出し、（ステップＳ２３）、通信モジュール８を介した薬液注入装置２と外部機器７との通信が開始される（ステップＳ２４）。
【０１１４】
当該通信においては、図５におけるステップＳ６と同様に、外部機器７の機器制御部７１は、通信モジュール８が装着された薬液注入装置２についての初期確認を行う。
【０１１５】
次に、外部機器７の機器制御部７１は、図５におけるステップＳ７と同様に、薬液注入装置２に関する情報などを薬液注入装置２から読み出す（ステップＳ２５）。当該薬液注入装置２に関する情報などを含む信号が薬液注入装置２から出力され、通信モジュール８を経由して外部機器７に入力され、当該情報が機器記憶部７２に記憶される。
【０１１６】
次に、外部機器７の入力受付部７３は、薬液注入装置２の薬液注入動作を停止するか否かについての医療従事者による入力を受け付ける（ステップＳ２６）。入力受付部７３は、薬液注入装置２の薬液注入動作を停止するか否かについて医療従事者に確認するための表示を行うように外部機器７の表示装置７５を制御する。
【０１１７】
外部機器７の表示装置７５に表示される入力画面において医療従事者が薬液注入装置２の薬液注入動作を停止する入力をすると（ステップＳ２６においてＹＥＳ）、機器制御部７１は、薬液注入装置２を停止させる停止信号を外部機器７から出力する。出力された当該停止信号は、通信モジュール８を経由して薬液注入装置２に入力される。薬液注入装置２に当該停止信号が入力されると、薬液注入装置２のメイン制御部３１は、薬液注入装置２の薬液注入動作が停止されるようにポンプ５１を制御する（ステップＳ２７）。
【０１１８】
また、外部機器７の機器通信部７４は、薬液の注入の停止を指示するための入力を外部機器７に対して行った当該医療従事者（停止入力者）を識別する停止入力者情報を含む信号を外部機器７から出力する。出力された当該信号は、通信モジュール８を経由して薬液注入装置２に入力される。記憶部３２は、薬液の注入の停止が指示されたことを示す情報を含む停止指示情報とともに前記停止入力者情報を記憶する（ステップＳ２８）。
【０１１９】
次に、入力受付部７３は、薬液注入装置２の電源をオフにするか否かについての医療従事者による入力を受け付ける（ステップＳ２９）。
【０１２０】
医療従事者が薬液注入装置２の電源をオフにする入力をすると（ステップＳ２９においてＹＥＳ）、機器制御部７１は、薬液注入装置２の電源をオフにするオフ信号を外部機器７から出力する。出力された当該オフ信号は、通信モジュール８を経由して薬液注入装置２に入力される。薬液注入装置２に当該オフ信号が入力されると、メイン制御部３１は、薬液注入装置２の電源をオフにする制御を行う（ステップＳ３０）。
【０１２１】
最後に、医療従事者は、通信モジュール８を薬液注入装置２から遠ざける（ステップＳ３１）。具体的に、薬液注入装置２に装着されていた通信モジュール８は、薬液注入装置２から取り外される。通信モジュール８が薬液注入装置２から取り外された状態では、薬液注入装置２単体では、薬液の注入を開始させることができなくなる。これにより、医療従事者の意に反して、医療従事者以外の者が薬液注入装置２を操作して薬液の注入を開始させることを防ぐことができる。
【０１２２】
［患者の状況を確認する動作］
図７は、本発明の実施形態に係る薬液注入方法を示すフローチャートであり、患者の状況を確認する動作を示している。患者の状況を確認する動作とは、医療従事者が定期的に患者の様態を目視で確認したり、患者からヒアリングしたりすることにより、患者の状況を確認し、確認された状況に関する情報を、薬液注入装置２の記憶部３２及び外部機器７の機器記憶部７２に記憶させて履歴として残すための動作をいう。
【０１２３】
図７に示すステップＳ４１〜Ｓ４５は、図６に示すステップＳ２１〜Ｓ２５と同様の処理が行われるため、詳細な説明を省略する。
【０１２４】
医療従事者は、患者の様態を目視で確認したり、患者からヒアリングしたりすることにより、患者の状況を確認し、確認された状況に関する情報を、外部機器７に入力する。具体的に、外部機器７の入力受付部７３は、患者の状況に関する情報についての医療従事者による入力を受け付ける（ステップＳ４６）。入力受付部７３は、医療従事者が患者の状況に関する情報を入力可能な表示を行うように外部機器７の表示装置７５を制御する。
【０１２５】
医療従事者は、外部機器７の表示装置７５に表示される入力画面において、患者の状況を例えば文章で入力することができる。また、医療従事者は、当該入力画面において、予め設定された選択肢の中から、その患者の状況に適合するものを選択することもできる。かかる場合、当該選択肢は、例えば患者の表情を表す複数の図形などによって構成されていてもよい。具体的には、複数の図形は、例えば笑顔を表す図形、苦痛な表情を表す図形、これらの間の通常の表情を表す図形などによって構成される。なお、当該入力は、医療従事者ではなく、患者によって行われてもよい。
【０１２６】
外部機器７の表示装置７５に表示される入力画面において医療従事者が患者の状況に関する情報について入力をすると（ステップＳ４６においてＹＥＳ）、入力された患者の状況に関する情報（患者情報）は、機器記憶部７２に記憶される（ステップＳ４７）。
【０１２７】
また、外部機器７の機器通信部７４は、患者の状況に関する情報と、患者の状況に関する情報の入力を外部機器７に対して行った当該医療従事者（状況入力者）を識別する状況入力者情報とを含む信号を外部機器７から出力する。出力された当該信号は、通信モジュール８を経由して薬液注入装置２に入力される。記憶部３２は、患者の状況に関する情報とともに前記状況入力者情報を記憶する（ステップＳ４８）。
【０１２８】
最後に、医療従事者は、通信モジュール８を薬液注入装置２から遠ざける（ステップＳ４９）。具体的に、薬液注入装置２に装着されていた通信モジュール８は、薬液注入装置２から取り外される。
【０１２９】
［アラームの停止動作］
図８は、本発明の実施形態に係る薬液注入方法を示すフローチャートであり、アラームの停止動作を示している。
【０１３０】
図８に示すように、安全検出装置４によって薬液注入装置２の異常が検出されると、薬液注入装置２のポンプ制御部３４は、薬液の注入が停止されるようにポンプ５１を制御し、薬液注入装置２の警報出力部３３は、警報部５３が警報音を発し、警報ランプ５６が点灯、点滅などの表示を行うように警報部５３及び警報ランプ５６を制御する（ステップＳ６１）。
【０１３１】
警報部５３及び警報ランプ５６によって薬液注入装置２の異常を知った医療従事者は、警報部５３及び警報ランプ５６によるアラームを解除するために、以下の処置を行う。まず、医療従事者は、当該医療従事者を識別するための識別情報を外部機器７に入力する（ステップＳ６２）。当該識別情報の入力は、上述した図５に示すステップＳ１と同様であるので、詳細な説明は省略する。
【０１３２】
また、図８に示すステップＳ６３〜Ｓ６６は、図６に示すステップＳ２２〜Ｓ２５と同様の処理が行われるため、詳細な説明を省略する。
【０１３３】
図８に示すステップＳ６６において、アラームに関する情報などの薬液注入装置２に関する情報などを含む信号が薬液注入装置２から出力され、通信モジュール８を経由して外部機器７に入力され、当該情報が機器記憶部７２に記憶される。そして、機器制御部７１は、外部機器７の表示装置７５に当該アラームに関する情報が表示されるように表示装置７５を制御する（ステップＳ６７）。
【０１３４】
医療従事者は、外部機器７の表示装置７５に表示されるアラームに関する情報を確認し、その内容に応じた適切な処置を行う。
【０１３５】
外部機器７の入力受付部７３は、薬液注入装置２のアラームを解除するか否かについての医療従事者による入力を受け付ける（ステップＳ６８）。入力受付部７３は、薬液注入装置２のアラームを解除するか否かについて医療従事者に確認するための表示を行うように外部機器７の表示装置７５を制御する。
【０１３６】
外部機器７の表示装置７５に表示される入力画面において医療従事者が薬液注入装置２のアラームを解除する入力をすると（ステップＳ６８においてＹＥＳ）、機器制御部７１は、薬液注入装置２のアラームを解除する解除信号を外部機器７から出力する。出力された当該解除信号は、通信モジュール８を経由して薬液注入装置２に入力される。薬液注入装置２に当該解除信号が入力されると、薬液注入装置２の警報出力部３３は、薬液注入装置２のアラームが解除されるように警報部５３及び警報ランプ５６を制御する（ステップＳ６９）。
【０１３７】
また、外部機器７の機器通信部７４は、アラームの解除を指示するための入力を外部機器７に対して行った当該医療従事者（解除入力者）を識別する解除入力者情報を含む信号を外部機器７から出力する。出力された当該信号は、通信モジュール８を経由して薬液注入装置２に入力される。記憶部３２は、アラームの解除が指示されたことを示す情報を含む解除指示情報とともに前記解除入力者情報を記憶する（ステップＳ７０）。
【０１３８】
次に、入力受付部７３は、薬液注入装置２による薬液の注入を再開するか否かについての医療従事者による入力を受け付ける（ステップＳ７１）。
【０１３９】
医療従事者が薬液注入装置２による薬液の注入を再開する入力をすると（ステップＳ７１においてＹＥＳ）、機器制御部７１は、薬液注入装置２の運転を再開する信号を外部機器７から出力する。出力された当該信号は、通信モジュール８を経由して薬液注入装置２に入力される。薬液注入装置２に当該信号が入力されると、ポンプ制御部３４は、薬液注入装置２の薬液の注入を再開するようにポンプ５１を制御する（ステップＳ７２）。
【０１４０】
最後に、医療従事者は、通信モジュール８を薬液注入装置２から遠ざける（ステップＳ７３）。具体的に、薬液注入装置２に装着されていた通信モジュール８は、薬液注入装置２から取り外される。
【０１４１】
［変形例］
なお、本発明は、前記実施形態に限定されるものではなく、例えば、以下の態様を採用することもできる。
【０１４２】
前記実施形態に係る薬液注入システム１では、通信モジュール８が設けられていたが、通信モジュール８は、省略することもできる。この場合、外部機器７から出力される種々の信号は、通信モジュール８を介さずに、薬液注入装置２の通信部２１によって直接受信される。
【０１４３】
前記実施形態では、薬液注入装置２と通信モジュール８との間の信号の送受信は、赤外線通信を利用した無線データ通信によって行われていたが、これに限られない。薬液注入装置２と通信モジュール８との間の信号の送受信は、赤外線通信以外の無線データ通信によって行われてもよく、有線データ通信によって行われてもよい。
【０１４４】
前記実施形態では、薬液注入装置２の充電は、電磁誘導方式などの無線充電によって行われていたが、これに限られず、有線充電によって行われてもよい。
【０１４５】
前記実施形態において、薬液注入装置２は、患者によって追加投与スイッチ９３が操作された場合に、その履歴が記憶部３２に記憶されるように構成されていてもよい。
【０１４６】
前記ポンプ制御部３４は、通信部２１が前記開始信号を受信した場合にのみ薬液の注入が開始されるようにポンプ５１を制御してもよい。また、前記ポンプ制御部３４は、通信部２１が前記停止信号を受信した場合にのみ薬液の注入が停止されるようにポンプ５１を制御してもよい。
【０１４７】
さらに、前記ポンプ制御部３４は、通信部２１が前記開始信号を受信した場合及び追加受信部２５が前記開始信号を受信した場合にのみ薬液の注入が開始されるようにポンプ５１を制御してもよい。この場合の薬液の注入の開始には、薬液の増量注入の開始も含まれる。また、前記ポンプ制御部３４は、通信部２１が前記停止信号を受信した場合及び追加受信部２５が前記停止信号を受信した場合にのみ薬液の注入が停止されるようにポンプ５１を制御してもよい。この場合の薬液の注入の停止には、薬液の増量注入の停止も含まれる。
【符号の説明】
【０１４８】
１  薬液注入システム
２  薬液注入装置
７  外部機器
８  通信モジュール
２１  通信部
２２  モジュール検出部
３２  記憶部
３４  ポンプ制御部
５１  ポンプ
６０  薬液チューブ
７１  機器制御部
７２  機器記憶部
７３  入力受付部
７４  機器通信部
７５  表示装置
８１  モジュール通信部
８２  装置検出部
【図１】
2019170452.tif 000003
【図２】
2019170452.tif 000004
【図３】
2019170452.tif 000005
【図４】
2019170452.tif 000006
【図５】
2019170452.tif 000007
【図６】
2019170452.tif 000008
【図７】
2019170452.tif 000009
【図８】
2019170452.tif 000010